(57)【要約】【課題】  紙やプラスチックで作られた軽量皿や軽量コップ等の軽量食器が風で飛ばされないように保持する保持具の提供。【解決手段】  この保持具１は、第１保持体２と、該第１保持体２から水平方向に延長する回動自在な２本の支持アーム３，４と、各支持アーム３，４の先端にそれぞれ設けた第２保持体５および第３保持体６を備えており、使用時には軽量食器を２本の支持アーム３，４の上に載置して各保持体で軽量食器の外周部の３箇所を保持する。【選択図】        図１
2006051289.tif 000002
【特許請求の範囲】
【請求項１】
円形な外周部を有する軽量食器の保持具１であって、第１保持体２と、該第１保持体２から水平方向に延長する回動自在な２本の支持アーム３，４と、各支持アーム３，４の先端にそれぞれ設けた第２保持体５および第３保持体６を備え、軽量食器を２本の支持アーム３，４の上に載置した状態で各保持体により軽量食器の外周部を３箇所で保持するように構成したことを特徴とする軽量食器の保持具。
【請求項２】
請求項１において、
前記２つの支持アーム３，４に対し、それらの挟角を縮小する方向に駆動力を付与するスプリング１９を設けたことを特徴とする軽量食器の保持具。
【請求項３】
請求項１または請求項２において、
前記第１保持体２、第２保持体５および第３保持体６の下部は先端部に向かって断面が縮小する形状になっていることを特徴とする軽量食器の保持具。
【請求項４】
請求項１ないし請求項３のいずれかにおいて、前記軽量食器が紙もしくはプラスチックで作られた軽量皿３０であって、前記２本の支持アーム３，４にそれぞれ回動自在な補助支持アーム７，８を設け、軽量皿３０の底面を前記２本の支持アーム３，４と各補助支持アーム７，８で支持するように構成したことを特徴とする軽量食器の保持具。
【請求項５】
請求項４において、前記第１保持体２、第２保持体５および第３保持体６の互いに対向する側部に差込溝１３を設け、各差込溝１３に軽量皿３０の外周部を差し込めるように構成したことを特徴とする軽量食器の保持具。
【請求項６】
請求項１ないし請求項３のいずれかにおいて、前記軽量食器が紙もしくはプラスチックで作られた軽量コップ４０であり、前記第１保持体２、第２保持体５および第３保持体６の互いに対向する側部に軽量コップ４０の外周部における傾斜側面に対応するテーパ面４１を形成したことを特徴とする軽量食器の保持具。
【請求項７】
請求項６において、前記テーパ面４１を軽量コップの外周部における円弧形状に対応する円弧状テーパ面としたことを特徴とする軽量食器の保持具。
【発明の詳細な説明】
【技術分野】
【０００１】
本発明は屋外に置いたときに風に飛ばされやすい紙やプラスチックで作られた軽量皿や軽量コップなどの軽量食器を安定に保持するために使用する保持具に関する。
【背景技術】
【０００２】
紙やプラスチックで作られた軽量皿や軽量コップ等のいわゆる軽量食器は、軽く持ち運びが容易であるためピクニック、キャンプあるいは屋外の催物やアトラクション会場における屋外食事の際に多く使用されている。
【発明の開示】
【発明が解決しようとする課題】
【０００３】
しかしこれら軽量食器はその軽さ故に風に飛ばされやすく、折角、丁寧に盛った食べ物が周囲に散乱して大騒ぎになる等の問題があった。そのため風が強いときは軽量食器を手で抱え込むか、あるいは適当に重石となる物を軽量皿の端部に載せて風によって飛ばされないようにしていたが、それらの対策は煩わしさや体裁が悪いなど別の問題が生じる。そこで本発明は、このような屋外で使用する軽量食器が風で飛ばされ易いという問題を解決することを課題とすると共に、屋内においても取り扱い易い新しい軽量食器の保持具を提供することを目的とする。
【課題を解決するための手段】
【０００４】
前記課題を解決する本発明の軽量食器の保持具は、円形な外周部を有する軽量食器の保持具であって、第１保持体と、該第１保持体から水平方向に延長する回動自在な２本の支持アームと、各支持アームの先端にそれぞれ設けた第２保持体および第３保持体を備えている。そして、軽量食器を２本の支持アームの上に載置した状態で各保持体により軽量食器の外周部を３箇所で保持するように構成したことを特徴とする（請求項１）。
【０００５】
上記保持具において、前記２つの支持アームに対し、それらの挟角を縮小する方向に駆動力を付与するスプリングを設けることができる（請求項２）。
【０００６】
上記いずれかの保持具において、前記第１保持体、第２保持体および第３保持体の下部を先端部に向かって断面が縮小する形状とすることができる（請求項３）。
【０００７】
さらに上記いずれかの保持具において、前記軽量食器が紙もしくはプラスチックで作られた軽量皿の場合、前記２本の支持アームにそれぞれ回動自在な補助支持アームを設け、軽量皿の底面を前記２本の支持アームと各補助支持アームで支持するように構成することができる（請求項４）。
【０００８】
上記軽量皿の場合において、さらに前記第１保持体、第２保持体および第３保持の互いに対向する側部に差込溝を設け、各差込溝に軽量皿の外周部を差し込めるように構成することができる（請求項５）。
【０００９】
また前記いずれかの保持具において、前記軽量食器が紙もしくはプラスチックで作られた軽量コップである場合、前記第１保持体、第２保持体および第３保持体の互いに対向する側部に軽量コップにおける外周部の傾斜側面に対応するテーパ面を形成することができる（請求項６）。更にそのテーパ面を軽量コップにおける外周部の円弧形状に対しても対応できる円弧状テーパ面とすることができる（請求項７）。
【発明の効果】
【００１０】
本発明の軽量食器の保持具は、支持アームの上に軽量食器を載置してその外周部を３本の保持体によりワンタッチで接触させるだけで、軽量食器を安定に保持できると共に、保持具が重石となって軽量食器が風に飛ばされることを防止できる。また２本の支持アームは第１保持体から回動自在に延長しているので、２本の支持アームを互いに平行に畳むことにより、全体を縮小状態にして収納や持ち運びを省スペース状態で行うことができる。  また、屋外のみならず屋内において使用しても、保持具ごと軽量食器を持ち上げることができ、その際安定して食器を保持し、その飲食物を円滑に食することができる。
【００１１】
上記保持具において、２つの支持アームに対し、それらの挟角を縮小する方向に駆動力を付与するスプリングを設けることにより、軽量食器を保持しないときはスプリングの作用により自動的に２本の支持アームが互いに平行に畳まれて全体が縮小された状態になる。また収納状態で持ち運ぶ際に振動や揺れが加わってもその縮小状態を安定に維持できる。さらに、保持具に軽量食器を保持した状態においては、スプリングにより軽量食器がその外周部から中心部に向かう押圧力を常に受けるので、保持具に対する軽量食器の保持状態を確実に維持できる。
【００１２】
上記いずれかの保持具において、前記第１保持体、第２保持体および第３保持体の下部を先端部に向かって断面が縮小する形状とすることによって、保持具が実質的に３点支持になり、屋外の凸凹な面に保持具を置いたときに安定にその姿勢を維持できる。
【００１３】
さらに上記いずれかの保持具において、前記軽量食器が紙もしくはプラスチックで作られた軽量皿の場合、前記２本の支持アームにそれぞれ回動自在な補助支持アームを設け、軽量皿の底面を前記２本の支持アームと各補助支持アームで支持するように構成することができ、それによって軽量皿に比較的重い食品を載せた場合に、軽量皿がその荷重により下方に湾曲変形することを防止できる。
【００１４】
上記補助支持アームを設ける場合において、さらに前記第１保持体、第２保持体および第３保持体の互いに対向する側部に差込溝を設け、各差込溝に軽量皿の外周部を差し込めるように構成することにより、軽量皿をより安定に保持できる。
【００１５】
さらに前記いずれかの保持具において、前記軽量食器が紙もしくはプラスチックで作られた軽量コップである場合、前記第１保持体、第２保持体および第３保持体の互いに対向する側部に軽量コップにおける外周部の傾斜側面に対応するテーパ面を形成することによって、そのテーパ面に軽量コップの側面を少なくとも線接触させることができるので、高さの大きい軽量コップの場合でもそれを安定して保持できる。更にそのテーパ面を軽量コップにおける外周部の円弧形状に対応する円弧状テーパ面とすることによって、そのテーパ面に軽量コップの側面を面接触させることができるので、高さの大きい軽量コップの場合でもそれを安定に且つ確実に保持できる。
【発明を実施するための最良の形態】
【００１６】
次に本発明を実施するための最良の形態を説明する。図１は紙もしくはプラスチックで作られた軽量皿３０を保持するための保持具の１例を示す平面図、図２は図１のＡ−Ａ断面図、図３は図１の保持具を分解した斜視図である。
【００１７】
これらの図において、保持具１は上下方向に延長する第１保持体２と、該第１保持体２から水平方向に延長する回動自在な２本の細長い断面コ字型の支持アーム３，４と、支持アーム３，４の先端にそれぞれ設けた上下方向に延長する第２保持体５および第３保持体６を備えている。そして支持アーム３，４の中間部には比較的長さの短い断面コ字型の補助支持アーム７，８がそれぞれピン９，１０により回動自在に連結される。そしてこれら各部材は硬質なプラスチックもしくはアルミニウムやステンレス等の金属材料によって作られるが、その重量は想定される最大風速（例えば風速１０ｍ程度）でも軽量皿３０が飛ばされない範囲に設定する。
【００１８】
第１保持体２、第２保持体５および第３保持体６は比較的長さの短い円柱状とされる。第１保持体２は図３に示すように、上部材１１と下部材１２により構成され、上部材１１はキャップ状に形成されてその側部（三角形状に配置した３つの保持体の中心方向に対面する側部）に差込溝１３が設けられる。一方、下部材１２は筒状に形成され、その下部が先端部に向かって断面が縮小する円錐形状とされる。第２保持体５および第３保持体６も上部材１１と下部材１２により構成される。上部材１１は円柱状に形成されてその側部（三角形状に配置した３つの保持体の中心部方向に対面する側部）に差込溝１３がそれぞれ設けられる。一方、下部材１２は先端部に向かって断面が縮小する円錐形状とされる。
【００１９】
支持アーム３の一方の端部に連結部１４が一体的に連結され、他方の端部に第２保持体５の側部が接着により又は一体的に連結される。連結部１４は同心円状に形成された内筒１５と外筒１６を有し、内筒１５の中心部に貫通孔１７が形成され、外筒１６には段差部１８が形成される。さらに外筒１６の上方における直径の小さい部分は支持アーム３の上面より上方に突出している。そして外筒１６の内壁部にはコイル状のスプリング１９の一方の端部を装着する切欠部（図示せず）が形成されている。
【００２０】
支持アーム４の一方の端部に連結部２０が一体的に連結され、他方の端部に第３保持体６の側部が接着により又は一体的に連結される。連結部２０は同心円状に形成された内筒２１と外筒２２を有し、内筒２１の中心部に貫通孔２３が形成され、外筒２２には段差部２４が形成される。さらに外筒２２における下方の直径の小さい部分は支持アーム４の下面より下方に突出している。そして外筒２２の内壁部にコイル状のスプリング１９の他方の端部を装着する切欠部２４ａが形成される。
【００２１】
次に保持具１を図３のように分解した状態から図１（図２）のように組み立てるには、先ず支持アーム４に連結された連結部２０の内筒２１にスプリング１９を挿入し、その他方の端部（下端部）を外筒２２の切欠部２４ａに装着する。次に支持アーム３に連結された連結部１４における外筒１６の下面を前記連結部２０の上面に接近させ、スプリング１９の一方の端部（上端部）を外筒１６の切欠部に装着する。
【００２２】
次に外筒１６の下面と外筒２２の上面を接触させた状態で、それぞれの貫通孔１７，２３に上方からカシメピン２５を挿通し、そのカシメピン２５をカシメることにより連結部１４と連結部２０を互いに連結する。次いで上部材１１を連結部１６の外筒１６の段差部１８まで上方から嵌入し、下部材１２を外筒２２の段差部２４まで下方から嵌入することにより図１（図２）のような組み立て状態になる。
【００２３】
次に上記保持具１の使用方法を説明する。保持具１を例えばバックや袋に入れて保管もしくは運搬するときは、スプリング１９の作用により２本の支持アーム３，４は互いに平行になるように接近して省スペース化状態になっている。その状態の保持具１を用いて例えば図１（図２）に一点鎖線で示すような紙製の軽量皿３０を保持するには、先ず２本の支持アーム３，４を軽量皿３０の大きさに合わせて互いに離反するように押し広げ、更に所望により各補助支持アーム７，８を図１のように支持アーム３，４からそれぞれ９０度程度回動して広げておく。
【００２４】
次に軽量皿３０の底面を支持アーム３，４（および補助支持アーム７，８）の上に載置し、その外周部を第１保持体２、第２保持体５および第３保持体６に形成した各差込溝１３に差し込むことにより、軽量皿３０が安定な状態で保持具１に保持される。その際、前記スプリング１９の作用により、軽量皿３０はその外周部から中心方向への押圧力を受けるので、軽量皿３０が保持具１に確実に保持される。なお各保持体に差込溝１３を形成しない場合は、各保持体の側部で軽量皿３０の外周部を周囲から把持するようにして保持する。
【００２５】
上記のような保持状態の軽量皿３０に食べ物を載せ、その保持具１を例えば草地などの上や屋外に敷いた敷布の上に置くことができる。なお本実施形態では各保持体の下部材１２の下部を円錐形状に形成したので、例え保持具１を置く場所の上面が凹凸状態であっても、３点支持により保持具１を安定に支持できる。
【００２６】
図４は紙もしくはプラスチックで作られた軽量コップ４０を保持するための保持具の１例を示す平面図、図５はその側面図である。これらの図において、保持具１は上下方向に延長する第１保持体２と、該第１保持体２から水平方向に延長する回動自在な２本の細長い断面コ字型の支持アーム３，４と、支持アーム３，４の先端にそれぞれ設けた上下方向に延長する第２保持体５および第３保持体６を備えている。そしてこれら各部材の材質は図１の例と同様に硬質なプラスチックもしくはアルミニウムやステンレス等の金属材料によって作られる。
【００２７】
第１保持体２、第２保持体５および第３保持体６および２本の支持アーム３，４の構造は図１の例と同様に構成されるので、重複する説明は省略する。但し、第１保持体２、第２保持体５および第３保持体６は軽量コップ４０の高さに対応して比較的長い円柱状とされ、それらには図１の例のような差込溝１３は設けられていない。また２本の支持アーム３，４には図１の例のような補助支持アーム７，８は設けられていないが、所望によりそれらを設けることもできる。
【００２８】
一般的な軽量コップ４０は底面から上縁に向かって口径が大きくなっており、そのような軽量コップ４０を安定して保持するために、第１保持体２、第２保持体５および第３保持体６の側面、即ちそれら保持体における軽量コップ４０の保持面は軽量コップ４０の傾斜側面に対応するテーパ面４１とされる。さらに本実施形態では軽量コップ４０の外周部の円弧形状に対応して前記テーパ面が円弧状テーパ面（テーパ面自体が周方向に凹状）に形成されている。
【００２９】
次に図４（図５）に示す保持具１の使用方法を説明する。保持具１をバックや袋等に入れて保管もしくは運搬するときは、図１の例と同様に設けたスプリング１９（図示せず）の作用により２本の支持アーム３，４が互いに平行に接近して省スペース化状態になっている。その状態の保持具１を用いて例えば一点鎖線で示すような紙製の軽量コップ４０を保持するには、先ず２本の支持アーム３，４を軽量コップ４０の大きさに合わせて互いに離反するように押し広げておく。
【００３０】
次に軽量コップ４０の底面を支持アーム３，４の上に載置し、その外周部を第１保持体２、第２保持体５および第３保持体６の側部で保持する。その際、前記スプリング１９の作用により、軽量コップ４０はその外周部から中心方向への押圧力を受けるので、保持具１に軽量コップ４０が確実に保持される。さらに軽量コップ４０の外周部が各保持体の側部に形成した円弧状テーパ面に面接触するので、その面からも軽量コップ４０の保持が安定化する。
【００３１】
この保持状態の軽量コップ４０に飲料を注いで、例えば草地などの上や屋外に敷いた敷布の上に置くことができる。なお各保持体の下部材１２の下部が円錐形状に形成されているので、例え保持具１を置く場所の上面が凹凸状態であっても、３点支持により保持具１を安定に支持できる。
【００３２】
次に、図６は軽量皿３０を保持するための保持具の他の例を示すものであって、図２におけるものと同様の断面図である。この例は、上部材１１の上面に円錐凹部２６が形成されたものであり、その円錐凹部２６が下部材１２の円錐凸部２７に整合する。このように構成することにより、多数の保持具１を重ね合わせて、搬送、保管することが容易となる。なお、円錐凹部２６の底は開口して孔２８が形成され、その孔２８に円錐凸部２７の先端部が挿入される。また、その孔２８に花を一輪さすこともできる。
【産業上の利用可能性】
【００３３】
本発明の保持具は紙やプラスチックで作られた軽量皿や軽量コップ等の軽量食器を屋内外で安定して保持するために利用できる。
【図面の簡単な説明】
【００３４】
【図１】軽量皿３０を保持するための保持具の１例を示す平面図。
【図２】図１のＡ−Ａ断面図。
【図３】図１の保持具を分解した斜視図。
【００３５】
【図４】軽量コップ４０を保持するための保持具の１例を示す平面図。
【図５】同側面図。
【図６】軽量皿３０を保持するための保持具の他の例を示す断面図。
【符号の説明】
【００３６】
１  保持具
２  第１保持体
３，４  支持アーム
５  第２保持体
６  第３保持体
７，８  補助支持アーム
９，１０  ピン
【００３７】
１１  上部材
１２  下部材
１３  差込溝
１４  連結部
１５  内筒
１６  外筒
１７  貫通孔
１８  段差部
１９  スプリング
２０  連結部
【００３８】
２１  内筒
２２  外筒
２３  貫通孔
２４  段差部
２４ａ  切欠部
２５  カシメピン
２６  円錐凹部
２７  円錐凸部
２８  孔
３０  軽量皿
４０  軽量コップ
４１  テーパ面
【図１】
2006051289.tif 000003
【図２】
2006051289.tif 000004
【図３】
2006051289.tif 000005
【図４】
2006051289.tif 000006
【図５】
2006051289.tif 000007
【図６】
2006051289.tif 000008